(57)【要約】【課題】  ノズル付きポンプディスペンサーやスクイズ容器の吐出ノズルに備えられるものであって、構造が簡単で、安価であり、且つ使用性が良好で、ノズル内に残留した内容物の固化の防止効果が優れ、内容物の液ダレを防止できる口元固化防止治具の提供。【解決手段】  ポンプ又はスクイズによって内容物を吐出する吐出ノズル付き容器の吐出ノズルに着脱自在に取り付けられる口元固化防止治具であって、吐出ノズル内に弾性的に装着可能な弁部材８０を有し、弁部材８０は、舌状弁部８２と、舌状弁部８２と一体に設けられ、上記吐出ノズル内に装着固定される支持部８１とからなり、弁部材８０は上記吐出ノズル内に装着されたとき吐出ノズル内の内容物の通路をノズル先端に近づくにつれて徐々に下側に搾ることができる形状とされ、内容物の吐出圧によって上記通路を開放可能で、吐出圧の解除により上記通路を閉塞可能な構成とされた口元固化防止治具７５。【選択図】  図１
2005193907.tif 000002
【特許請求の範囲】
【請求項１】
ポンプ又はスクイズによって内容物を吐出する吐出ノズル付き容器の吐出ノズルに着脱自在に取り付けられる口元固化防止治具であって、
吐出ノズル内に弾性的に装着可能な弁部材を有し、該弁部材は、舌状弁部と、該舌状弁部と一体に設けられ、前記吐出ノズル内に装着固定される支持部とからなり、
前記弁部材は前記吐出ノズル内に装着されたとき吐出ノズル内の内容物の通路をノズル先端に近づくにつれて徐々に下側に搾ることができる形状とされ、内容物の吐出圧によって前記通路を弾性的に開放可能で、吐出圧の解除により前記通路を弾性的に閉塞可能な構成とされたことを特徴とする口元固化防止治具。
【請求項２】
ポンプ又はスクイズによって内容物を吐出する吐出ノズル付き容器の吐出ノズルに着脱自在に取り付けられる口元固化防止治具であって、
前記吐出ノズルに着脱自在に取り付け可能な筒状体と、該筒状体内に弾性的に装着可能な弁部材を有し、該弁部材は、舌状弁部と、該舌状弁部と一体に設けられ、前記筒状体内に装着固定される支持部とからなり、
前記弁部材は前記筒状体内に装着されたとき筒状体内の内容物の通路を筒状体先端に近づくにつれて徐々に下側に搾ることができる形状とされ、内容物の吐出圧によって前記通路を弾性的に開放可能で、吐出圧の解除により前記通路を弾性的に閉塞可能な構成とされたことを特徴とする口元固化防止治具。
【請求項３】
ポンプ又はスクイズによって内容物を吐出する吐出ノズル付き容器であって、
前記吐出ノズルに請求項１又は２に記載の口元固化防止治具が取り付けられたことを特徴とする口元固化防止治具付き容器。
【発明の詳細な説明】
【技術分野】
【０００１】
本発明は、ノズル付きポンプディスペンサー及びスクイズ容器において、ノズル内に残留した内容物の固化を防止する構造に関する。
【背景技術】
【０００２】
液体化粧料、各種液体洗剤、シャンプー、リンス、各種仕上液などの液剤などの内容物を吐出するためのノズル付きポンプディスペンサーやスクイズ容器が従来から多用されている。
これらの容器においては、ノズルから内容物を吐出した後に、ノズル先端の吐出口（口元と呼ぶこともある）から液だれが生じたり、ノズル内に残った内容物が乾燥、固化し、吐出口やノズル内に詰まることがあるため、種々の固化防止構造が考案されている。
例えば、図６は、ノズル１００の先端にヒンジ開閉式蓋１０１を設けた蓋式である。図７は、ノズルヘッド２０２を上下させることによりこのヘッド２０２と一体に設けられた蓋体２０１がノズル２００の吐出口を開閉できるようにした簡易開閉式である。図８は、ノズル３００内にポリプロピレン樹脂製バルブ３０１を設けたバルブ内蔵式である。図９は、ノズル４００の吐出口に、内容物の吐出圧を受けることによりスリット間隔が広がる樹脂製キャップ４０１が設けられた自閉式である（例えば、特許文献１〜３参照）。
図１０のＡは、特許文献１のノズルの先端部を示す拡大図である。このノズル１１０の先端の吐出口は斜めにカットされており、吐出口の上側縁部が下側縁部より突き出ている（ノズル内の通路が徐々に上側に搾った形状とされている）ものである。この吐出口の下側縁部に可撓性素材からなる舌片１１４の基端部１１４ａが固着されている。内容物を吐出しないときには、図１０のＡに示すように吐出口は舌片１１４で覆われているが、内容物の吐出圧がかかると、図１０のＢに示すように先端側１１４ｂが外方に押し開かれて撓み、内容物１１５の吐出が行われるように構成されている。そして、上記吐出圧が解除されると、舌片１１４は原状に復帰して吐出口を覆うようになっているものである。
【特許文献１】実開平５−５４３０８号公報
【特許文献２】実用新案登録第２５８９９３４号公報
【特許文献３】実用新案登録第２５７２９５１号公報
【発明の開示】
【発明が解決しようとする課題】
【０００３】
しかしながら、図６の蓋式では、比較的安価で、外気遮断効果が高いが、使用する度に蓋１０１を開閉する操作が必要なため使い勝手が悪く、使用性に劣る。
図７の簡易開閉式では、使用性が良好であるが、外気遮断効果が低い。
図８はバルブ内蔵式では、外気遮断効果と使用性に優れるが、コスト高になってしまう。図９の自閉式では、比較的安価で、使い勝手は良好であるが、外気遮断効果が不充分であった。自閉式のなかでも図１０のタイプでは、舌片１１４が外に出ているので、舌片１１４の開操作によりノズル１１０内に外気が入り易く、舌片の開閉操作を繰り返すと、内容物が乾燥し、固化し易い。また、舌片１１４は薄肉で、撓み易いため、固化した内容物が付着したり、あるいは粘度の高い内容物が付着すると、外方に撓んだ状態となってしまい、原状に復帰できなくなるという問題が生じる。
従って、構造が簡単で、安価であり、且つ使用性が良好で、しかも内容物の液ダレの防止でき、ノズル内に残留した内容物の固化の防止効果が優れることの全てを満足できる口元固化防止構造はなかった。
【０００４】
本発明は上記事情に鑑みてなされたもので、ノズル付きポンプディスペンサーやスクイズ容器の吐出ノズルに備えられるものであって、構造が簡単で、安価であり、且つ使用性が良好で、ノズル内に残留した内容物の固化の防止効果が優れ、しかも内容物の液ダレを防止できる口元固化防止治具を提供することを目的の一つとする。
また、本発明は、上記のような口元固化防止治具が吐出ノズルに備えられた口元固化防止治具付き容器を提供することを目的の一つとする。
【課題を解決するための手段】
【０００５】
上記目的を達成するために、本発明は以下の構成を採用した。
本発明の口元固化防止治具は、ポンプ又はスクイズによって内容物を吐出する吐出ノズル付き容器の吐出ノズルに着脱自在に取り付けられる口元固化防止治具であって、
吐出ノズル内に弾性的に装着可能な弁部材を有し、該弁部材は、舌状弁部と、該舌状弁部と一体に設けられ、上記吐出ノズル内に装着固定される支持部とからなり、
上記弁部材は上記吐出ノズル内に装着されたとき吐出ノズル内の内容物の通路をノズル先端に近づくにつれて徐々に下側に搾ることができる形状とされ、内容物の吐出圧によって上記通路を弾性的に開放可能で、吐出圧の解除により上記通路を弾性的に閉塞可能な構成とされたことを特徴とする。
【０００６】
また、本発明の口元固化防止治具は、ポンプ又はスクイズによって内容物を吐出する吐出ノズル付き容器の吐出ノズルに着脱自在に取り付けられる口元固化防止治具であって、
上記吐出ノズルに着脱自在に取り付け可能な筒状体と、該筒状体内に弾性的に装着可能な弁部材を有し、該弁部材は、舌状弁部と、該舌状弁部と一体に設けられ、上記筒状体内に装着固定される支持部とからなり、
上記弁部材は上記筒状体内に装着されたとき筒状体内の内容物の通路を筒状体の先端に近づくにつれて徐々に下側に搾ることができる形状とされ、内容物の吐出圧によって上記通路を弾性的に開放可能で、吐出圧の解除により上記通路を弾性的に閉塞可能な構成とされたことを特徴とする。
また、上記のいずれかの構成の本発明の口元固化防止治具において、上記弁部材は、縦断面形状がフ字状であってもよい。
【０００７】
本発明の口元固化防止治具付き容器は、ポンプ又はスクイズによって内容物を吐出する吐出ノズル付き容器であって、
上記吐出ノズルに上記のいずれかの構成の口元固化防止治具が取り付けられたことを特徴とする。
【０００８】
また、上記の構成の本発明の口元固化防止治具付き容器においては、上記吐出ノズル内又は上記口元固化防止治具の筒状体内に嵌合用凹部が形成され、上記口元固化防止治具の支持部に上記嵌合用凹部に嵌合する嵌合用凸部が形成されていることが好ましい。
また、上記のいずれかの構成の構成の本発明の口元固化防止治具付き容器においては、上記吐出ノズル内又は上記口元固化防止治具の筒状体内に係合部が形成され、上記口元固化防止治具の支持部に上記係合部に係合う被係合部が形成されていることが好ましい。
【発明の効果】
【０００９】
本発明の口元固化防止治具によれば、構造が簡単で、安価であり、且つ使用性が良好で、ノズル内に残留した内容物の固化の防止効果が優れ、しかも内容物の液ダレを防止できる。
本発明の口元固化防止治具付き容器によれば、上記のような本発明の口元固化防止治具が吐出ノズル付き容器に備えられたことにより、安価であり、且つ使い勝手を良好とすることができる。
【発明を実施するための最良の形態】
【００１０】
以下に本発明の一実施形態を図面を用いて説明する。
（第一の実施形態）
本発明の第一の実施形態の口元固化防止治具付き容器を図１に示す。
図１は、本実施形態の口元固化防止治具付き容器の吐出ヘッドを指で押し下げる前の状態、あるいは、吐出ヘッドを押し下げていた指の押力を解除したときの状態を示す断面図である。図２は、図１の口元固化防止治具付き容器の吐出ノズルの先端部の斜視図である。
図１において、本実施形態の容器は概略、容器本体１０と、容器本体１０頂部に螺合された肩カバー２１に形成された頂部開口を貫通して上下に往復運動可能な吐出ヘッド２０とを有し、吐出ヘッド２０を往復運動させることで容器本体内に充填された内容液（内容物）Ｌを吐出ヘッド２３に形成された吐出ノズル３１の吐出口３１から吐出する容器である。
吐出ノズル２３に、口元固化防止治具７５が着脱自在に取り付けられている。
口元固化防止治具７５は、上記吐出ノズル内に弾性的に装着可能な弁部材８０を備えたものである。この弁部材８０は、舌状弁部８２と、該舌状弁部８２と一体に設けられ、上記吐出ノズル内に装着固定される支持部８１からなるものである。
弁部材８０は上記吐出ノズル内に挿入され、装着されたときこの吐出ノズル内の内容液（内容物）の通路がノズル先端に向けて徐々に下側に搾ることができる形状（言い換えれば、ノズル先端に近づくにつれて内容液の通路の上側が狭められる形状）とされる。本実施形態では、支持部８１は平坦な形状とされ、舌状弁部８２は縦断面ノ字状とされ、これらが一体化された弁部材８０は縦断面形状がフ字状とされている。
この弁部材８０の高さは、吐出ノズル２３に挿入する前は吐出ノズルの内側の高さより高くされており、この弁部材８０を吐出ノズル２３内に挿入し、装着されたとき、この弁部材８０が弾性変形してノズル内で弾性的に接するようにされている。
【００１１】
この弁部材８０の材質としては、弾性的な効果を持った材料であり、しかも耐内容物適性に適したものが用いられ、吐出ノズル２３の大きさや内容物の種類によって最適な材料が選定して用いられる。例えば、ポリエチレン樹脂、ポリピロピレン樹脂、オレフィン系エラストマー、ポリエステル系エラストマー等が使用可能である。また、吐出ノズル２３の吐出口３１の大きさや、内容物の粘度によって、弁部材８０に最適な弾力性を持たせる必要がある。
【００１２】
口元固化防止治具７５を吐出ノズル４３に取り付けるには、弁部材８０を吐出口３１から吐出ノズル２３内に挿入する。このようにすると、支持部８１がノズル４３の内面に当接状態となり固定され、舌状弁部８２は吐出ノズル２３の内面に当接状態となり、内容物の通路を閉塞できるようになっている。
上記のように弁部材８０をノズルに装着状態のときに、吐出ヘッド２０の頭部が押し下げられることにより内容物の吐出圧がかかると舌状弁部８２の弁部先端は図１の点線で示したように吐出口側に変形して弁部先端が吐出ノズル２３の内面から離れ、内容物の通路を開放し、内容物が吐出できるようになっている。
吐出ヘッド２０の頭部を押し下げていた押圧力の解除により吐出圧が解除されると、ノズル２３の内面から離れていた上記弁部先端がノズル４３の内面に当接状態に戻って、内容物の通路を閉塞できるようになっている。
口元固化防止治具７５を吐出ノズル２３から取り外すには、弁部材８０を吐出ノズル２３から抜きとればよい。
【００１３】
口元固化防止治具７５は、内容物を吐出しないときは、舌状弁部先端がノズル２３の内面に押し当てられていることにより、ノズル２３の弁部材８０より内側は外気と遮断されるので、ノズル２３内に内容物が残留していても、内容物の固化の防止効果が優れる。また、吐出ヘッド２０の頭部を押し下げていた押圧力の解除により舌状弁部先端がノズル２３の内面に押し当てられることにより、内容物の流れを遮断できるので、口元から内容物がたれるのを防止できる。
この口元固化防止治具７５は、吐出ヘッド６０の頭部の上下による内容物の吐出圧の変動に連動して舌状弁部８２が吐出口６１の開閉を行う自閉式であるので、使用性が良好である。
また、口元固化防止治具７５は、構造が簡単なものであるので、安価とすることができる。
【００１４】
（第二の実施形態）
第二の実施形態の口元固化防止治具付き容器について説明する。
図３は、本実施形態の口元固化防止治具付き容器の吐出ノズルの先端部と、この吐出ノズルに取り付けられる口元固化防止治具を示す斜視図である。
本実施形態の口元固化防止治具付き容器が、図１乃至図２に示した第一の実施形態の口元固化防止治具付き容器と異なるところは、吐出ノズルの形状と、口元固化防止治具の形状が異なる点である。
本実施形態の吐出ノズル２３ａは、図３に示すような矩形状とされている。また、この吐出ノズル２３ａの先端側の内面には、ガイドレール（嵌合用凹部）４３ｅが形成され、さらにこのガイドレール４３ｅに係合部（図示略）が形成されている。
口元固化防止治具７５ａの支持部８１は、弁部材８０を吐出ノズル２３ａ内に装着したときガイドレール４３ｅに嵌合する凸条（嵌合用凸部）８１ｅが形成され、さらにこの凸条８１ｅに上記係合部に係合う被係合部８１ｆが形成されている。
口元固化防止治具７５ａの寸法及び材質の具体例としては、吐出ノズル２３ａの吐出口寸法が５ｍｍ×５ｍｍの場合、ポリエチレン樹脂製が用いられ、弁部材８０の高さ８ｍｍ（弁部材８０は、吐出ノズル２３ａの吐出口に弾性的に挿入できるよう３ｍｍの撓み量が生じる）、厚みが０．３ｍｍとされる。
【００１５】
（第三の実施形態）
本発明の第三の実施形態の口元固化防止治具付き容器を図４に示す。
図４は、本実施形態の口元固化防止治具付き容器の吐出ヘッドの頭部を指で押し下げる前の状態、あるいは、吐出ヘッドの頭部を押し下げていた指の押力を解除したときの状態を示す断面図である。
図４において、本実施形態の容器は概略、容器本体５０と吐出ヘッド６０とを具備して構成され、容器本体５０の上部の開口部に基部キャップ４０が螺合され、この基部キャップ４０の上部に肩カバー４１が装着され、この肩カバー４１の中央部に筒壁４２が突出形成され、この筒壁４２の上部に頂部開口部５７が形成されている。
【００１６】
吐出ヘッド６０は、側部側に延出された吐出ノズル４３と下方に伸びる頚部６８を具備して構成され、この頚部６８が筒壁４２に遊挿されて上下に往復運動可能とされている。更に、吐出ノズル４３の先端部に吐出口６１が形成されている。吐出ヘッド６０において、頸部６８の付け根の部分には、気液を混合して泡を生成するためのメッシュフィルタ等を備えてなる泡生成部６２が形成されている。また、頚部６８の吐出ヘッド６０に対する付け根の部分の周囲には、環状壁からなる取付筒４５が垂下形成され、この取付筒４５の更に外周部側には筒状壁からなるスカート壁４６が垂下形成されているとともに、このスカート壁４６の周壁上部には孔状またはスリット状などの空気通路４７が形成されている。
【００１７】
吐出ノズル４３内に、第一の実施形態と同様の口元固化防止治具７５が着脱自在に取り付けられている。
【００１８】
基部キャップ４０が螺合された容器本体５０の開口部には、有底円筒状のシリンダ部５１が挿入され、シリンダ部５１の上部に形成されたフランジ状の係合部５１ａを基部キャップ４０で容器本体５０の開口部に押し付けてシリンダ部５１が容器５０に固定されている。そして、このシリンダ部５１の上部の係合部５１ｂに肩カバー４１が装着されている。次に、肩カバー４１の筒壁４２の外周側には吐出ヘッド６０のスカート壁４６の内側に挿入された筒状の周囲壁４８が立設され、この周囲壁４８の外周側には、吐出ヘッド６０の押し下げ状態において吐出ヘッド６０のスカート壁４６の下端部を挿入可能な周溝４９が形成されている。また、周囲壁４８の底部には周囲壁４８の内外部に連通する孔状またはスリット状などの水抜通路４８ａが形成されている。
【００１９】
一方、頚部６８の下部側には通液管６６が挿入され、この通液管６６の下端部側の部分はシリンダ部５１の内部側に挿入されるとともに、頚部６８の下部側の部分にはシリンダ部５１の内面に沿って摺動する筒形のピストン部６３が取り付けられ、吐出ヘッド６０の上下運動に連動してピストン部６３がシリンダ部５１内の気室５４の内容積を可変できるように構成されている。また、頚部６８と通液管６６との間には空気の流路６６ａが形成され、この流路６６ａが頚部６８の内上部とシリンダ部５１内の気室５４とを後述する呼気弁６４または吸気弁６５を介して連通している。
【００２０】
更に、シリンダ部５１の底部中央に内溶液Ｌに達する蓄液管５３が形成され、この蓄液管５３の上部に先の頚部６８の下端部６８ａが位置され、頚部６８の下端部６８ａの下側の蓄液管５３の内部にはスプリング５８が挿入され、蓄液管５３の底部には弁体５２を備えた逆止弁が形成されている。先のスプリング５８は頚部６８の下降に伴って押し縮められ、下降した頚部６８を上方に押し戻す作用を奏し、頚部６８の上方への戻り時に弁体５２を備えた逆止弁を解放して内溶液Ｌを蓄液管５３の内部に吸い上げるためのものである。
【００２１】
シリンダ部５１の上部側には、頂部開口５７と頸部６８との隙間７０から流入した外気を容器本体５０内に導入するための通気孔５６が形成されている。更に、シリンダ部５１の内上部側には、吐出ヘッド６０が押し上げられるとき先の流路６６ａを介して気室５４内に外気を吸入するための吸気弁６５と、吐出ヘッド６０の頭部を押し下げたとき気室５４内の気体を先の流路６６ａを介して泡生成部６２に送るための呼気弁６４とが形成されている。また、通液管６６の上端部には、吐出ヘッド６０が押し下げられるとき蓄液管５３の液室５５に存在している内容液Ｌを泡生成部６２に送るための弁体６７を有する逆止弁が設けられている。そして吐出ヘッド６０の全体は、蓄液管５３内に挿入されたスプリング５８によって上方に付勢され、上死点（吐出ヘッド６０の上昇限界位置）まで上昇させられている。
【００２２】
以上のような本実施形態の口元固化防止治具付き容器では、容器本体５０を把持し、吐出ヘッド６０の頭部を指で押し下げると、通液管６６が蓄液管５３内に進入することによって液室５５の容積が減少し、加圧された液室５５内の内容液Ｌは弁体６７を押し上げて泡生成部６２に送られる。このとき、弁体５２は蓄液管５３の下部を閉じるので内溶液Ｌが蓄液管５３に吸入されることはない。
一方、吐出ヘッド６０の下降とともにピストン部６３をシリンダ部５１内で下降させることによって気室５４の容積が減少し、加圧された気室５４内の空気Ｇが呼気弁６４と流路６６ａと頚部６８を通って泡生成部６２に送られる。泡生成部６２に送られた上記の内容液Ｌと空気Ｇは泡生成部６２を形成するメッシュ部材によって混合されて泡化される。また、このように吐出ヘッド６０の下降により内容液の吐出圧がかかると、ノズル内に装着された弁部材８０の舌状弁部先端がノズル４３の内面から離れ、内容物の通路が開放され、上記の混合された内容液Ｌと空気Ｇが泡としてノズル４３の吐出口６１から放出される。
【００２３】
吐出ヘッド６０の頭部を押し下げていた指の押圧力を解除すると、吐出ヘッド６０はスプリング５８の付勢力によって上死点まで上昇復帰する。このとき弁体６７は通液管６６の上部を閉じるが、弁体５２は蓄液管５３の下部を解放するので内溶液Ｌが蓄液管５３の内部に吸引される。同時に、気室５４の容積は増大して減圧状態となるが、頚部６８と通液管６６との間の流路６６ａを介し、吸気弁６５を介して外気が吸引されて上記減圧状態は解消される。更に、先のピストン部６３の下降に伴って容器本体５０内が減圧状態となるが、この減圧状態は、吐出ヘッド６０の頸部６８と頂部開口５７の隙間７０と通気孔５６を経由して外気を流入させることによって解消される。
また、吐出ヘッド６０の頭部を押し下げていた押圧力の解除により吐出圧が解除されると、ノズル４３の内面から離れていた上記弁部先端がノズル４３の内面に当接状態に戻って、内容物の通路が閉塞される。
【００２４】
（第四の実施形態）
第四の実施形態の口元固化防止治具付き容器を図５に示す。図５は、本実施形態の口元固化防止治具付き容器の吐出ヘッドの頭部を指で押し下げる前の状態、あるいは、吐出ヘッドの頭部を押し下げていた指の押力を解除したときの状態を示す断面図である。
本実施形態の口元固化防止治具付き容器が、図４に示した第三の実施形態の口元固化防止治具付き容器と異なるところは、吐出ノズル４３に図５に示したような口元固化防止治具９５が着脱自在に取り付けられた点である。
【００２５】
口元固化防止治具９５は、吐出ノズル４３に着脱自在に取り付け可能な筒状体９０と、この筒状体内に弾性的に装着可能な弁部材８０を備えたものである。
筒状体９０の内面にはフランジ部９０ｃが設けられている。筒状体９０を吐出ノズル４３の外側に嵌め入れたとき、フランジ９０ｃの一方の側９０ａにノズル４３が嵌った状態となり、他方の側９０ｂにこの筒状体９０に装着された弁部材８０が配置された状態となる。
筒状体９０は、吐出ノズル４３の外側に嵌め入れたとき、筒状体内の空間（内容物の通路）と、吐出ノズル４３内の内容物の通路は連通するようになっている。筒状体９０の材質としては、吐出ノズル４３の外側に着脱自在に嵌められることができる程度の弾性的な効果を持った材料で、しかも耐内容物適性に適したものであればよい。
また、上記筒状体内に係合部９０ｃが形成されている。
【００２６】
弁部材８０は、第一の実施形態と同様の舌状弁部８２と、該舌状弁部８２と一体に設けられ、上記筒状体内に装着固定される支持部８１からなるものである。
弁部材８０は、上記筒状体内に挿入され、装着されたときこの筒状体内の内容液（内容物）の通路が筒状体の先端に向けて徐々に下側に搾ることができる形状（言い換えれば、筒状体先端に近づくにつれて内容液の通路の上側が狭められる形状）とされる。本実施形態では、支持部８１は平坦な形状とされ、舌状弁部８２は縦断面ノ字状とされ、これらが一体化された弁部材８０は縦断面形状がフ字状とされている。
また、支持部８１には、この支持部８１を筒状体９０内に挿入したとき、筒状体９０の係合部９０ｄに係合う被係合部８１が形成されている。
この弁部材８０の高さとしては、筒状体９０に挿入する前は筒状体９０の内側の高さより高くされており、弁部材８０を筒状体９０内に挿入し、装着されたとき、この弁部材８０が弾性変形して筒状体内で弾性的に接するようにされている。
【００２７】
この弁部材８０の材質としては、弾性的な効果を持った材料であり、しかも耐内容物適性に適したものが用いられあれ、筒状体９０の大きさや内容物の種類によって最適な材料が選定して用いられる。例えば、ポリエチレン樹脂、ポリピロピレン樹脂、オレフィン系エラストマー、ポリエステル系エラストマー等が使用可能である。また、筒状体９０の大きさや、ノズルから吐出される内容物の粘度によって、弁部材８０に最適な弾力性を持たせる必要がある。
【００２８】
口元固化防止治具９５を吐出ノズル４３に取り付けるには、弁部材８０がフランジ位置まで嵌められた筒状体９０の弁部材と反対側を吐出ノズル４３の外側に嵌める。このようにすると、支持部８１がノズル４３の内面に当接状態となり固定され、舌状弁部８２はノズル４３の内面に当接状態となり、内容物の通路を閉塞できるようになっている。
上記のように口元固化防止治具９５が吐出ノズル４３に装着状態のときに、吐出ヘッド６０の頭部が押し下げられることにより内容物の吐出圧がかかると舌状弁部８２の弁部先端は図３の点線で示したように筒状体の先端側に変形して弁部先端が筒状体９０の内面から離れ、内容物の通路を開放し、内容物が吐出できるようになっている。
吐出ヘッド６０の頭部を押し下げていた押圧力の解除により吐出圧が解除されると、筒状体９０の内面から離れていた上記弁部先端が筒状体９０の内面に当接状態に戻って、内容物の通路を閉塞できるようになっている。
口元固化防止治具９５を吐出ノズル４３から取り外すには、口元固化防止治具９５を吐出ノズル４３から抜き取ればよく。また、弁部材８０は筒状体９０から抜きとることにより、外すことができる。
【００２９】
口元固化防止治具９５は、内容物を吐出しないときは、舌状弁部先端が筒状体９０の内面に押し当てられていることにより、弁部材８０より内側の内容物の通路は外気と遮断されるので、ノズル４３内に内容物が残留していても、内容物の固化の防止効果が優れる。また、吐出ヘッド６０の頭部を押し下げていた押圧力の解除により舌状弁部先端が筒状体９０の内面に押し当てられることにより、内容物の流れを遮断できるので、内容物がたれるのを防止できる。
この口元固化防止治具９５は、吐出ヘッド６０の頭部の上下による内容物の吐出圧の変動に連動して舌状弁部８２が吐出口６１の開閉を行う自閉式であるので、使用性が良好である。
また、口元固化防止治具９５は、構造が簡単なものであるので、安価とすることができる。
【００３０】
以下、実施例を示し、本発明をより具体的に説明するが、本発明は、下記実施例に限定されるものではない。
（実施例）
図３に示すような口元固化防止７５ａが吐出ノズル４３ａ内に装着した口元固化防止治具付き容器を作製した。
（比較例１）
口元固化防止７５ａが吐出ノズルに設けられていない以外は実施例と同様の口元固化防止治具付き容器を作製した。
（比較例２）
図６に示した蓋式の固化防止構造がノズルに備えられた容器を作製した。
（比較例３）
図７に示した簡易開閉式の固化防止構造がノズルに備えられた容器を作製した。
（比較例４）
図８に示した内蔵式の固化防止構造がノズルに備えられた容器を作製した。
（比較例５）
図９に示した自閉式の固化防止構造がノズルに備えられた容器を作製した。
【００３１】
作製した実施例１、比較例１〜５の容器について内容物の固化防止効果、使用性、価格について調べた。結果を表１に示す。内容物としては、粘度２５０ｍＰａ・ｓｅｃの液体石鹸(ライオン株式会社製のキレイキレイハンドソープ（商品名））又は粘度５Ｐａ・ｓｅｃの美容液(ライオン株式会社製のダメージエイド美容液（商品名））を用いた。
固化防止効果については、作製した実施例、比較例１〜５の容器４０℃湿度２０％の雰囲気中に放置後のノズル詰まりについて調べた。
【００３２】
【表１】
2005193907.tif 000003
【００３３】
表１中、ノズル詰りの評価項目において、１Ｗは一週間、２Ｗは２週間、１Ｍは１ヶ月を示し、○はノズル詰まり無し、△は表面固化状態であるが、吐出操作で復帰、×はノズルが詰まり、吐出操作でかたく、吐出方向が正常ではないものを示す。使用性の評価項目において、○は使用性が良好、×は使用性が悪い、価格の評価項目において○は安価（セット加工のみ）、△はセット後の後加工必要、×は部品が多く、セット加工が煩雑を示す。
表１に示す結果から、安価で、且つ使用性が良好で、しかも内容物の固化の防止効果が優れたものは実施例の固化防止構造が吐出ノズルに装着された容器であることがわかる。
【産業上の利用可能性】
【００３４】
シャンプー、リンス、スタイリング剤、液体石鹸等の乾燥によって固化し易い内容物が充填された吐出ノズル付きポンプディスペンサー及びスクイズ容器の口元固化防止に用いることができる。
【図面の簡単な説明】
【００３５】
【図１】本発明の第一の実施形態の口元固化防止治具付き容器の吐出ヘッドを押し下げる前の状態あるいは吐出ヘッドを押し下げていた指の押力を解除したときの状態を示す断面図。
【図２】図２は、図１の口元固化防止治具付き容器の吐出ノズルの先端部の斜視図である。
【図３】本発明の第二の実施形態の口元固化防止治具付き容器の吐出ノズルの先端部と、この吐出ノズルに取り付けられる口元固化防止治具を示す斜視図。
【図４】本発明の第三の実施形態の口元固化防止治具付き容器の吐出ヘッドの頭部を指で押し下げる前の状態あるいは吐出ヘッドの頭部を押し下げていた指の押力を解除したときの状態を示す断面図。
【図５】本発明の第四の実施形態の口元固化防止治具付き容器の吐出ヘッドの頭部を指で押し下げる前の状態あるいは吐出ヘッドの頭部を押し下げていた指の押力を解除したときの状態を示す断面図。
【図６】従来の固化防止構造が設けられたノズルの説明図で、蓋式のノズルの例を示す概略構成図。
【図７】従来の固化防止構造が設けられたノズルの説明図で、簡易開閉式のノズルの例を示す概略構成図。
【図８】従来の固化防止構造が設けられたノズルの説明図で、内蔵式のノズルの例を示す概略構成図。
【図９】従来の固化防止構造が設けられたノズルの説明図で、自閉式のノズルの例を示す概略構成図。
【図１０】従来の固化防止構造が設けられたノズルの説明図で、自閉式のノズルのその例を示す概略構成図。
【符号の説明】
【００３６】
Ｇ・・・空気、Ｌ・・・内溶液（内容物）、１０，５０・・・容器本体、２０，６０・・・吐出ヘッド、２１，４１・・・肩カバー、２３，２３ａ，４３・・・吐出ノズル、３１，６１・・・吐出口、４３ｅ・・・ガイドレール（嵌合用凹部）、４６・・・スカート壁、４７・・・空気通路、４８・・・周囲壁、４８ａ・・・水抜通路、５０・・・容器本体、５４・・・気室、５５・・・液室、５７・・・頂部開口、６２・・・泡生成部、６８・・・頸部、７５，７５ａ，９５・・・口元固化防止治具、８０・・・弁部材、８１・・・支持部、８２・・・舌状弁部、８１ｄ・・・被係合部、８１ｅ・・・凸条（嵌合用凸部）、８１ｆ・・・被係合部、９０・・・筒状体、９０ａ・・・一方の側、９０ｂ・・・他方の側、９０ｃ・・・フランジ、９０ｄ・・・係合部。
【図１】
2005193907.tif 000004
【図２】
2005193907.tif 000005
【図３】
2005193907.tif 000006
【図４】
2005193907.tif 000007
【図５】
2005193907.tif 000008
【図６】
2005193907.tif 000009
【図７】
2005193907.tif 000010
【図８】
2005193907.tif 000011
【図９】
2005193907.tif 000012
【図１０】
2005193907.tif 000013